(57)【要約】      （修正有）【課題】入れ歯の利用者が余り負担をかけずに食事ができる食品粉砕器具を提供する。【解決手段】底面や側面に凹凸を付けた容器と、その容器に入るような寸法で、下部や側面に凹凸を付けた押さえ板とからなる。押さえ板あるいは容器の底面を、電機的又は機械的に回転あるいは振動するようにし、スイッチを入れると動作するように構成した。【選択図】図１
0003152309.tif 000002
【実用新案登録請求の範囲】
【請求項１】
底面に凹凸を付けた容器と、それと寸法的に合わせた押さえ板あるいは缶状品で、その下部に凹凸を付けた器具で構成される食品粉砕器具。
【請求項２】
底面あるいは上面に凹凸部分を加工し、電気機械的に回転する板あるいは振動する板を設け、食品を入れてから蓋をしてスイッチを入れると動作して、食品を細かく砕き粉砕できる食品粉砕加工器具。
【考案の詳細な説明】
【技術分野】
【０００１】  本考案は、医療用具あるいは生活補助器具に関するものである。
歯の代用品となる器具に関するものである。
【背景技術】
【０００２】  老化あるいは虫歯などで入れ歯を利用する人も多いが、硬い物は若い時のようには食べられない場合も多い。無理をすれば、悪くない歯まで痛めてしまう。
入れ歯を外すと噛めないので消化不良になりやすい。
フードプロセサーを小型にしたような製品もあるが、豆類の粉砕を目的に製作されており用途が少し異なる。【０００３】  インプラント治療は高価で保険が使えないし、やはり無理な使用は歯を痛める事になりやすいと考えられる。入れ歯の長時間使用は体の負担になる場合もあるが、食事のたびに入れ歯を外したり付けたりするのもなにかと煩わしい事があるので高齢者には負担になるが市販品はない。
【考案の開示】
【考案の解決しようとする課題】
【０００４】  入れ歯の利用者が余り負担をかけずに、食事できる方法を工夫する。
柔らかい食べ物だけではなく、ある程度堅い食品でも健常者と同じように食べたり、その味わいを楽しめるようにする。
お茶をたしなむような感覚でこの器具が使えれば違和感がないし、食事の楽しみも増すようにしたい。小型軽量化できれば携帯して外出先でも利用可能なのでコーヒーカップ並の大きさで製品化をすすめる。
【課題を解決するための手段】
【０００５】  本考案は、自らの歯あるいは入れ歯で食事する食事法を改める。
底面に凹凸を付けたお茶椀あるいはコーヒーカップ状の食器に食べたい食品を入れ、その上からスリコギ状あるいは円筒状の凹凸を付けた押さえ板で食品を撹拌すれば、食品はこの代用器具により細かく砕かれ食べやすくなる。
【考案の効果】
【０００６】  肉類や魚類あるいは野菜類は入れ歯ではかみ砕く事が困難な場合が多いが、本考案の代用歯では普通の歯より細かく食品を砕く事も可能になった。軽く味わいそのまま食しても胃腸へ負担をかけない。もちろん唾液は必要なので、ある程度よく味わってから食べた方が良い。入れ歯を外して食事する事も可能になる。
ある程度以上に悪くなると食事困難になるが、本案の器具は食事を可能にする。
電機機械的に粉砕処理して細かく砕く方法もあるが、個人的に使うには使い方が難しい場合が多いが本案品は違和感が少ない。
値段が各段に安く提供できるのもメリットになるし、製品のデザインも状況に応じて各種工夫の余地がある。
食べ終わった缶詰容器やジュース缶を組み合わせても、ある程度なら砕く事はできるが凹凸があると効果は格段に良くなる。
【考案を実施するための最良の形態】
【０００７】  容器の底面と押さえ板の部分に凹凸を付ける加工をすることで、歯で食事するのに類似の効果が得られる。この凹凸の形状にもそれなりの工夫がいるし、用途に応じて使い分けても良い。理想的には食品を入れ蓋を閉め、スイッチを入れると機械が回転あるいは上下して食品を細かく砕き粉砕するのが良い。
蓋が安全スイッチを兼用すれば安全性も良くなる。図面では湯飲み茶碗のような形状だが、左手で押さえて右手で左右に圧搾するコーヒーカップ形が良い。
ステンレスカップの方が強度的には強いが、用途により普通の食器で良い。
容器自体を図面のような凹凸のある形にする方法と、容器の中に考案の歯代理君を収めて利用する方法がある。容器には大小があるので、普通サイズ品を主にして大中小を製作すれば良いと考えられる。バネなどの力を使うか、容器に引き掛けて蝶ネジで固定する方法がすべり止めになり使いやすくなる。
カップの割れや傷つき防止の為には、ゴム引きする方が良い。
あまり小さな容器では使いずらくなるので普通サイズが好ましい。
電気モーター式も同様だが、この場合は専用品が良いと考えられる。この場合もコーヒーカップのような形が安定性操作性が良い。カップの中に器具を収める収め型が堅固なら、自由にセットする食器が選べるし、そのまま撹拌機としての利用が可能になる。本体をステンレス製にすると薄型容器になるので、スペース的にも有利で頑丈だし、プレスで型が製作できる。
トレーの上に乗せたデザイン構成でも良い。
【実施例１】  図１は、本考案の１例の原理図である。
食品の受け入れ容器３と、入れた食品を押さえる加工板４で構成されている。
この加工板の形状は各種考えられるが板状でも良いが缶状棒状でも良い。
【実施例２】
【０００９】  本案を電機機械的に実現する原理的概念である。食品を入れ、蓋をして、スイッチを入れると、底面が回転する。蓋にはバネによる圧力が設定に応じて加圧できる構成にすれば、食品に応じて使い分ける事が可能になる。小型の強力モーターも開発されている。ジューサー式にすれば電気的なトラブルも防止できる。
押さえ板４の中心に回転可能な円盤をはさんだ構成にすれば、手動電動のいずれの場合でも操作がスピーデイになる。電動の場合は上部又は下部の片方が固定で良く、片方は単に凹凸があれば歯の代用品として利用可能になる。
【産業上の利用の可能性】
【００１０】  生まれながらの歯を大切にして長生きするのが理想であるが、高齢化特有の問題を解決する一助となり、量産され利用されれば産業になると予測できる。
【図面の簡単な説明】
【００１１】
【図１】  底面に凹凸を付けた容器３と、食品を圧搾する圧搾板４の状態を示す原理器具の断面図である。
【図２】  本考案の原理器具の平面図である。
【符号の説明】
【００１２】    １  圧搾板を手で持つための取手の部分である。
２  圧搾板と取手を連結する部分で缶状構成でも良い。
３  食べようとする食品を入れる容器である。
４  食品圧搾板の断面で、接合面に凹凸部を付けている。
上下に押したり、回転できるようになっている。
５  容器３の底面に設けた凹凸部だが、軸受けの作用がある。
圧搾板４と凹凸部分は逆でも良い。
６  容器３の底面に設けた凹凸部で丸や四角形などにする。
７  食品入れ容器３の断面である。
【図１】
0003152309.tif 000003
【図２】
0003152309.tif 000004
【手続補正書】
【提出日】平成21年4月27日(2009.4.27)
【手続補正１】
【補正対象書類名】実用新案登録請求の範囲
【補正対象項目名】全文
【補正方法】変更
【補正の内容】
【実用新案登録請求の範囲】
【請求項１】
底面や側面に凹凸を付けた容器と、その容器に入るような寸法で、下部や側面に凹凸を付けた押さえ板とから構成される食品粉砕器具。
【請求項２】
押さえ板あるいは容器の底面を、電機的又は機械的に回転あるいは振動するようにし、スイッチを入れると動作するように構成した、請求項１記載の食品粉砕加工器具。